(57)【要約】      （修正有）【課題】便鉢部内の臭気や汚れの発生を抑制することができる小便器を提供する。【解決手段】小便器は、小便が流出する流出口１６Ａを設けた便鉢部１０と、便鉢部１０の表面に付着した尿滴を流出口１６Ａに押し流す空気を噴き出す送風口１１Ａと、この送風口１１Ａに空気を送る送風機１２とを備え、便鉢部１０の表面を撥水加工し、便鉢部１０の表面に沿って流れ、便鉢部１０の表面を洗浄する洗浄水を吐水する吐水口と、吐水口に洗浄水を供給する供給装置とを備える。【選択図】図１
2014050555.tif 000002
【特許請求の範囲】
【請求項１】
小便が流出する流出口を設けた便鉢部と、
前記便鉢部の表面に付着した尿滴を前記流出口に押し流す空気を噴き出す送風口と、
この送風口に空気を送る送風機とを備えていることを特徴とする小便器。
【請求項２】
前記便鉢部は表面を撥水加工していることを特徴とする請求項１記載の小便器。
【請求項３】
前記便鉢部の表面に沿って流れ、前記便鉢部の表面を洗浄する洗浄水を吐水する吐水口と、
この吐水口に洗浄水を供給する給水装置とを備えていることを特徴とする請求項１又は２記載の小便器。
【請求項４】
前記吐水口と前記送風機とを連通する送風路とを備えており、
前記吐水口を前記送風口として利用し、空気を噴き出して前記便鉢部の表面に付着した尿滴及び水滴を前記流出口に押し流すことを特徴とする請求項３記載の小便器。
【請求項５】
前記便鉢部の下部に設けた排気口と、この排気口に連通した排気路とを備えていることを特徴とする請求項１乃至４のいずれか１項記載の小便器。
【請求項６】
前記流出口より下方に設けた排気口と、この排気口に連通した排気路とを備えていることを特徴とする請求項１乃至４のいずれか１項記載の小便器。
【請求項７】
前記排気路に設けた脱臭装置を備えていることを特徴とする請求項５又は６記載の小便器。
【請求項８】
前記排気路は前記送風機に連通しており、前記送風機から送出した空気が前記送風口、前記便鉢部内、前記排気口、及び前記排気路を介して循環することを特徴とする請求項５乃至７のいずれか１項記載の小便器。
【発明の詳細な説明】
【技術分野】
【０００１】
本発明は小便器に関する。
【背景技術】
【０００２】
特許文献１は従来の小便器を開示している。この小便器は、便鉢部と、便鉢部の上部に設けた臭気を吸い込む吸い込み口と、便鉢部の表面であって吸い込み口より下方に設けた空気を吹き出す吹き出し口と、吸い込み口と吹き出し口とを連通する連通路と、連通路に設けたファン及び脱臭剤とを備えている。
【０００３】
この小便器は、ファンを駆動することによって、吸い込み口から吸い込んだ便鉢部内の臭気が、連通路に設けた脱臭剤を通過し、吹き出し口から便鉢部内に吹き出す。吹き出し口から吹き出した空気は、便鉢部内を通過し、便鉢部内の臭気と共に吸込み口から吸い込まれる。このように、便鉢部内に吹き出し口から吸い込み口への空気の流れを形成し、臭気が脱臭剤を繰り返し通過することによって、臭気を便鉢部外に拡散することなく脱臭することができる。
【先行技術文献】
【特許文献】
【０００４】
【特許文献１】実用新案登録第２５２０９０４号公報
【発明の概要】
【発明が解決しようとする課題】
【０００５】
しかし、特許文献１の小便器は、臭気を脱臭することによって、臭気が便鉢部外に拡散しないようにするものであり、臭気の発生原因となる便鉢部の表面に付着した尿滴を排除することを目的にしたものではない。このため、この小便器は、便鉢部の表面に付着し、残存した尿滴内の尿素が細菌によって分解され、アンモニア臭や尿石が発生し、臭気や汚れの発生原因になるおそれがある。
【０００６】
本発明は、上記従来の実情に鑑みてなされたものであって、便鉢部内の臭気や汚れの発生を抑制することができる小便器を提供することを解決すべき課題としている。
【課題を解決するための手段】
【０００７】
本発明の小便器は、小便が流出する流出口を設けた便鉢部と、
前記便鉢部の表面に付着した尿滴を前記流出口に押し流す空気を噴き出す送風口と、
この送風口に空気を送る送風機とを備えていることを特徴とする。
【０００８】
この小便器は、便鉢部の表面に付着した尿滴を送風口から噴き出した空気によって便鉢部の流出口に押し流すことができる。このため、この小便器は、便鉢部の表面に付着した尿滴を流出口から排出して便鉢部の表面に残存しないようにすることができるため、便鉢部の表面で尿滴内の尿素を細菌が分解してアンモニア臭や尿石が発生することを抑制することができる。
【０００９】
したがって、本発明の小便器は便鉢部内の臭気や汚れの発生を抑制することができる。
【図面の簡単な説明】
【００１０】
【図１】実施例１の小便器を示す正面図である。
【図２】実施例２の小便器を示す正面図である。
【図３】図２の矢視Ａ−Ａ断面を示す断面図である。
【図４】実施例３の小便器を示す断面図である。
【図５】実施例４の小便器を示す正面図である。
【図６】実施例５の小便器を示す正面図である。
【図７】実施例５の小便器を示す断面図である。
【発明を実施するための形態】
【００１１】
本発明における好ましい実施の形態を説明する。
【００１２】
前記便鉢部は表面を撥水加工し得る。この場合、便鉢部の表面を尿滴が滑り落ちやすくなるため、送風口から噴き出した空気によって便鉢部の表面に付着した尿滴を流出口に良好に押し流すことができる。このため、この水洗式便器は便鉢部の表面に尿滴が残存し難く、アンモニア臭や尿石の発生を抑制することができる。
【００１３】
本発明の小便器は、前記便鉢部の表面に沿って流れ、前記便鉢部の表面を洗浄する洗浄水を吐水する吐水口と、この吐水口に洗浄水を供給する給水装置とを備え得る。この場合、便鉢部の表面に沿って洗浄水が流れ、便鉢部に付着した尿滴を洗浄水によって便鉢部の流出口に押し流すことができるとともに、その後に便鉢部の表面に残存した尿滴及び水滴を送風口から噴き出した空気によって便鉢部の流出口に押し流すことができる。このため、この小便器は便鉢部の表面に尿滴が残存し難くすることができる。
【００１４】
本発明の小便器は、前記吐水口と前記送風機とを連通する送風路とを備えており、前記吐水口を前記送風口として利用し、空気を噴き出して前記便鉢部の表面に付着した尿滴及び水滴を前記流出口に押し流し得る。この場合、吐水口は、尿滴が付着する便鉢部の表面を洗浄水が万遍なく流れるように設けられており、便鉢部の表面に沿って開口しているため、空気を噴き出すと、尿滴が付着する便鉢部の表面に万遍なく沿って流れ、付着した尿滴等を流出口に良好に押し流すことができる。このように、この小便器は、吐水口を送風口として利用するため、送風口を吐水口とは別に設ける必要がない。
【００１５】
本発明の小便器は、前記便鉢部の下部に設けた排気口と、この排気口に連通した排気路とを備え得る。この場合、送風口から噴き出した空気を便鉢部の下部の排気口から排気路を介して便鉢部外へ排出することができる。このため、送風口から噴き出した空気が便鉢部の下部で滞留し難くなり、便鉢部内をスムーズに流れるため、流出口に尿滴（水滴）を良好に押し流すことができる。
【００１６】
本発明の小便器は、前記流出口より下方に設けた排気口と、この排気口に連通した排気路とを備え得る。この場合、送風口から噴き出した空気を流出口より下方に設けた排気口から排気路を介して便鉢部外へ排出することができる。このため、送風口から噴き出した空気が便鉢部の下部で滞留し難くなり、流出口に向かってスムーズに流れるため、流出口に尿滴（水滴）を良好に押し流すことができる。
【００１７】
本発明の小便器は前記排気路に設けた脱臭装置を備え得る。この場合、排気口から排気した空気に含まれる臭気を脱臭することができる。
【００１８】
前記排気路は前記送風機に連通しており、前記送風機から送出した空気が前記送風口、前記便鉢部内、前記排気口、及び前記排気路を介して循環し得る。この場合、一つの送風機で送風口から空気を噴き出し、排気口から空気を吸引することができる。排気口から空気を吸引するため、空気が便鉢部の下部で滞留し難く、便鉢部内をスムーズに流れ、流出口に尿滴（水滴）を良好に押し流すことができる。
【００１９】
次に、本発明の小便器を具体化した実施例１〜５について、図面を参照しつつ説明する。
【００２０】
＜実施例１＞
実施例１の小便器は、図１に示すように、非水洗式であり、便鉢部１０と、便鉢部１０の表面の上部に取付けた送風口１１Ａを有する送風ノズル１１と、送風口１１Ａに空気を送る送風機１２とを備えている。便鉢部１０は表面を撥水加工している。便鉢部１０は下端部に上方に開口して設けた凹部を有している。便鉢部１０はこの凹部に嵌め込んだカートリッジ式の排水トラップ部材１５を有している。凹部は下流側に排水路１４を形成している。この排水トラップ部材１５の上面１６が便鉢部１０の表面下部の一部を形成している。便鉢部１０は排水トラップ部材１５の上面１６に小便が便鉢部１０から流出する流出口１６Ａを設けている。
【００２１】
排水トラップ部材１５は内部に水封部を形成するトラップ構造を有している。この排水トラップ部材１５は流出口１６Ａに連続する水封部に小便よりも比重の軽いシール液を注入している。このトラップ部材は、小便が流出口１６Ａから流入して滞留すると、小便の上方にシール液によるシール層を形成する。このため、排水トラップ部材１５は、滞留して水封を形成する小便によって、排水トラップ部材１５の下流側の排水路１４からの臭気等の逆流を防止するとともに、シール層によって滞留した小便から立ち上がる臭気をブロックすることができる。よって、この排水トラップ部材１５は流出口１６Ａから臭気が逆流してトイレ室内に拡散することを防止することができる。
【００２２】
送風ノズル１１は、便鉢部１０の表面に沿って水平方向に延びた棒状であり、空洞に形成されている。送風ノズル１１は便鉢部１０の表面に沿って水平方向に延びて開口したスリット状の送風口１１Ａを下面に有している。送風ノズル１１は背面中央部に送風機１２に連通した送風路１７を接続している。
【００２３】
送風機１２は小便器の上部に配置したボックス１３内に収納されている。送風機１２は送風路１７を介して送風口１１Ａに連通している。小便器はボックス１３の上部に赤外線センサー１８Ａを利用した人体検知装置１８を備えている。送風機１２は人体検知装置１８の出力に応じて駆動する。つまり、小便器の使用者が小便器から離れたことを人体検知装置１８が検知すると、送風機１２が設定時間の間、駆動する。ボックス１３は、送風機１２の他に、人体検知装置１８の出力信号を受信して送風機１２を駆動する制御信号を出力する制御装置や、送風機１２、人体検知装置１８及び制御装置の電源装置等を収納している。
【００２４】
このような構成を有する小便器は、小便器の使用者が小便器から離れると、送風機１２が設定時間の間、駆動し、送風口１１Ａから空気が噴き出す。送風口１１Ａから噴き出した空気は便鉢部１０の表面に沿って下方に向けて流れる。また、この小便器は便鉢部１０の表面を撥水加工しているため、便鉢部１０の表面に付着した尿滴は滑り落ちやすい。このため、この小便器は、送風口１１Ａから噴き出した空気によって便鉢部１０の表面に付着した尿滴を流出口１６Ａに良好に押し流すことができる。よって、この小便器は、便鉢部１０の表面に付着した尿滴を流出口１６Ａから排出して便鉢部１０の表面に残存しないようにすることができるため、便鉢部１０の表面で尿滴内の尿素を細菌が分解してアンモニア臭や尿石が発生することを抑制することができる。
【００２５】
したがって、実施例１の小便器は便鉢部１０内の臭気や汚れの発生を抑制することができる。
【００２６】
＜実施例２＞
実施例２の小便器は、図２及び図３に示すように、空気を噴き出す送風口２１を便鉢部２０の左右周縁部に設けている点で実施例１と相違する。他の構成は実施例１と同様であり、実施例１と同一の構成は同一の符号を付し、詳細な説明を省略する。
【００２７】
この小便器の送風口２１は、便鉢部２０の後方に形成した空洞部２２に連通しており、便鉢部２０の左右周縁部に上下方向に延びて開口している。送風口２１は、便鉢部２０の表面に沿いつつ、便鉢部２０の左右周縁部から便鉢部２０の左右中央に向けて斜め下方に空気が流れるように形成されている。空洞部２２は上部に送風機１２に連通した送風路１７が接続されている。
【００２８】
このような構成を有する小便器は、小便器の使用者が小便器から離れると、送風機１２が設定時間の間、駆動し、送風口２１から空気が噴き出す。送風口２１から噴き出した空気は、便鉢部２０の表面に沿いつつ、便鉢部２０の左右周縁部から便鉢部２０の左右中央に向けて斜め下方に流れ、便鉢部２０の左右中央で衝突して下方に向けて流れる。また、この小便器は便鉢部２０の表面を撥水加工しているため、便鉢部２０の表面に付着した尿滴は滑り落ちやすい。このため、この小便器は、送風口２１から噴き出した空気によって便鉢部２０の表面に付着した尿滴を流出口に良好に押し流すことができる。よって、この小便器は、便鉢部２０の表面に付着した尿滴を流出口１６Ａから排出して便鉢部２０の表面に残存しないようにすることができるため、便鉢部２０の表面で尿滴内の尿素を細菌が分解してアンモニア臭や尿石が発生することを抑制することができる。
【００２９】
したがって、実施例２の小便器も便鉢部２０内の臭気や汚れの発生を抑制することができる。
【００３０】
＜実施例３＞
実施例３の小便器は、図４に示すように、便鉢部３０の下部に設けた排気口３１と、この排気口３１に連通する排気路３２とを備えている点で実施例１と相違する。他の構成は実施例１と同様であり、同一の構成は同一の符号を付し、詳細な説明を省略する。
【００３１】
この小便器は、便鉢部３０の下端面の前端部であって、便鉢部３０の前端部が前方から後方へ折返した折返し部３３の下方に排気口３１を設けている。このように、この小便器は上方から落下した小便が排気口３１内に流入しない位置に排気口３１を設けている。排気口３１に連通した排気路３２は小便器を取付けた壁面からトイレ室外へ延びている。
【００３２】
このような構成を有する小便器は、小便器の使用者が小便器から離れると、送風機１２が設定時間の間、駆動し、送風口１１Ａから空気が噴き出す。送風口１１Ａから噴き出し、便鉢部３０の表面に沿って下方に流れた空気は、排気口３１から排気路３２を介してトイレ室外へ排出される。このため、送風口１１Ａから噴き出した空気が便鉢部３０の下部で滞留し難くなり、便鉢部３０内をスムーズに流れるため、流出口１６Ａに尿滴を良好に押し流すことができる。よって、この小便器は、便鉢部３０の表面に付着した尿滴を流出口１６Ａから排出して便鉢部３０の表面に残存しないようにすることができるため、便鉢部３０の表面で尿滴内の尿素を細菌が分解してアンモニア臭や尿石が発生することを抑制することができる。
【００３３】
したがって、実施例３の小便器も便鉢部３０内の臭気や汚れの発生を抑制することができる。
【００３４】
＜実施例４＞
実施例４の小便器は、図５に示すように、便鉢部４０の表面を沿って流れ、便鉢部４０表面を洗浄する洗浄水を吐水する吐水口４１Ａと、吐水口４１Ａに洗浄水を供給する給水装置４２とを備えた水洗式であり、吐水口４１Ａを送風口として利用する点で実施例１と相違する。他の構成は実施例１と同様であり、実施例１と同一の構成は同一の符号を付し、詳細な説明を省略する。
【００３５】
この小便器は、便鉢部４０の下部に流出口４４を設け、流出口４４の下流側に後方に向けて開口した排出口４５Ａを有するＰトラップ４５が連通している。この小便器は流出口４４に目皿４６を嵌めている。吐水口４１Ａは便鉢部４０の上部に取付けた正面視が円形状の吐水ノズル４１の下面に便鉢部４０の表面に沿ってスリット状に開口している。吐水ノズル４１は空洞に形成されている。吐水ノズル４１は背面に送風機に連通した送風路１７を接続している。この送風路１７の途中に給水装置４２から延びた給水路４３の下流端が合流している。
【００３６】
給水装置４２は、給水路４３を開閉する電磁弁と、人体検知装置１８の出力に応じて電磁弁を開閉制御する制御装置とを有している。つまり、小便器の使用者が小便器から離れたことを人体検知装置１８が検知すると、電磁弁が設定時間の間、給水路４３を開放する。給水装置４２は給水路４３の上流端を水道管に連通した給水管６０に接続している。
【００３７】
このような構成を有する小便器は、小便器の使用者が小便器から離れると、先ず、給水装置４２の電磁弁が設定時間の間、給水路４３を開放し、吐水口４１Ａから洗浄水が吐水される。これによって、便鉢部４０の表面に沿って洗浄水が流れ、便鉢部４０に付着した尿滴を洗浄水によって便鉢部４０の流出口４４に押し流すことができる。
【００３８】
給水装置４２の電磁弁が給水路４３を開放した後、設定時間が経過すると、電磁弁が給水路４３を閉鎖する。すると、送風機１２が設定時間の間、駆動し、吐水口４１Ａを送風口として利用し、送風口（４１Ａ）から空気が噴き出す。これによって、便鉢部４０の表面に残存した尿滴及び水滴を送風口（４１Ａ）から噴き出した空気によって便鉢部４０の流出口４４に押し流すことができる。
【００３９】
このように、この小便器は、吐水口４１Ａを送風口として利用するため、送風口を吐水口４１Ａとは別に設ける必要がない。また、この小便器は、便鉢部４０の表面を撥水加工しているため、便鉢部４０の表面に付着した尿滴は滑り落ちやすく、吐水口４１Ａから吐水した洗浄水と、送風口として利用した吐水口４１Ａから噴き出した空気によって、便鉢部４０の表面に残存した尿滴を便鉢部４０の流出口４４に良好に押し流すことができる。このため、この小便器は便鉢部４０の表面に尿滴が残存し難くすることができる。
【００４０】
また、吐水口４１Ａは、尿滴が付着する便鉢部４０の表面を洗浄水が万遍なく流れるように設けられており、便鉢部４０の表面に沿って開口しているため、吐水口４１Ａを送風口として利用し、空気を噴き出すと、尿滴が付着する便鉢部４０の表面に万遍なく沿って流れ、便鉢部４０の表面に付着した尿滴等を流出口４４に良好に押し流すことができる。よって、この小便器は、便鉢部４０の表面に付着した尿滴を流出口４４から排出して便鉢部４０の表面に残存しないようにすることができるため、便鉢部４０の表面で尿滴内の尿素を細菌が分解してアンモニア臭や尿石が発生することを抑制することができる。
【００４１】
したがって、実施例４の小便器も便鉢部４０内の臭気や汚れの発生を抑制することができる。
【００４２】
＜実施例５＞
実施例５の小便器は、図６及び図７に示すように、流出口４４より下方に設けた排気口５１と、この排気口５１に連通した排気路５２と、排気路５２に設けた脱臭装置５３とを備え、排気路５２が送風機１２に連通し、送風機１２から送出した空気が送風口（４１Ａ）、便鉢部４０内、流出口４４、排気口５１、及び排気路５２を介して循環する点が実施例４と相違する。他の構成は実施例４と同様であり、同一の構成は同一の符号を付し、詳細な説明を省略する。
【００４３】
この小便器は、流出口４４より下方であって、後方に向けて開口した排出口５４Ａを有するＰトラップ５４に形成された水封部５５よりも上流側に排気口５１を設けている。この排気口５１に連通した排気路５２は脱臭装置５３を介して送風機１２に連通している。脱臭装置５３はボックス１３内に収納されている。
【００４４】
このような構成を有する小便器は、小便器の使用者が小便器から離れると、先ず、給水装置４２の電磁弁が設定時間の間、給水路４３を開放し、吐水口４１Ａから洗浄水が吐水される。これによって、便鉢部４０の表面に沿って洗浄水が流れ、便鉢部４０に付着した尿滴を洗浄水によって便鉢部４０の流出口４４に押し流すことができる。
【００４５】
給水装置４２の電磁弁が給水路４３を開放した後、設定時間が経過すると、電磁弁が給水路４３を閉鎖する。すると、送風機１２が設定時間の間、駆動し、吐水口４１Ａを送風口として利用し、送風口（４１Ａ）から空気が噴き出す。これによって、便鉢部４０の表面に残存した尿滴及び水滴を送風口（４１Ａ）から噴き出した空気によって便鉢部４０の流出口４４に押し流すことができる。
【００４６】
また、この小便器は、送風機１２から送出した空気が送風口（４１Ａ）、便鉢部４０内、流出口４４、排気口５１、及び排気路５２を介して循環する。この小便器は、一つの送風機１２で送風口（４１Ａ）から空気を噴き出し、排気口５１から空気を吸引することができる。このように、排気口５１から空気を吸引することができるため、空気が便鉢部４０の下部で滞留し難く、便鉢部４０内をスムーズに流れ、流出口４４に尿滴（水滴）を良好に押し流すことができる。このため、この小便器は、便鉢部４０の表面に付着した尿滴を流出口４４から排出して便鉢部４０の表面に残存しないようにすることができるため、便鉢部４０の表面で尿滴内の尿素を細菌が分解してアンモニア臭や尿石が発生することを抑制することができる。
【００４７】
したがって、実施例５の小便器も便鉢部４０内の臭気や汚れの発生を抑制することができる。
【００４８】
また、排気路５２に設けた脱臭装置５３によって、排気口５１から排気した空気に含まれる臭気を脱臭することができる。特に、送風機１２から送出した空気が送風口、便鉢部４０内、流出口４４、排気口５１、及び排気路５２を介して循環するため、脱臭装置５３を繰り返し通過することになり、脱臭を良好に行うことができる。
【００４９】
本発明は上記記述及び図面によって説明した実施例に限定されるものではなく、例えば次のような実施例も本発明の技術的範囲に含まれる。
（１）実施例１〜５では、人体検知装置の出力に応じて送風機を駆動し、送風口から空気を噴き出し、便鉢部表面に付着した尿滴等を流出口に押し流したが、送風機の駆動スイッチを設けて手動で送風機を設定時間の間、駆動してもよい。
（２）実施例４及び５では、人体検知装置の出力に応じて電磁弁を開閉制御し、便鉢部に洗浄水を供給したが、電磁弁の開弁スイッチを設けて手動で電磁弁を設定時間の間、開弁してもよい。この場合、設定時間を経過した後に電磁弁が閉弁し、その後、送風機を自動的に設定時間の間、駆動するようにするとよい。
（３）実施例１〜５では、便鉢部の表面を撥水加工したが、便鉢部の表面を撥水加工しなくてもよい。
（４）実施例４及び５では、送風路の途中に給水装置から延びた給水路の下流端が合流したが、送風路と給水路とを別々に設けてもよい。
（５）実施例４及び５では、吐水口を送風口として利用したが、吐水口と送風口とを別々に設けてもよい。
（６）実施例３の排気路に排気用のファンを設けてもよい。
（７）実施例５では、脱臭装置を備えていたが、脱臭装置を備えなくてもよい。
【符号の説明】
【００５０】
１０、２０、３０、４０…便鉢部
１６Ａ、４４…流出口
１１Ａ、２１…送風口
１２…送風機
１７…送風路
３１、５１…排気口
３２、５２…排気路
４１Ａ…吐水口（送風口）
４２…給水装置
５３…脱臭装置
【図１】
2014050555.tif 000003
【図２】
2014050555.tif 000004
【図３】
2014050555.tif 000005
【図４】
2014050555.tif 000006
【図５】
2014050555.tif 000007
【図６】
2014050555.tif 000008
【図７】
2014050555.tif 000009